(57)【要約】      （修正有）【課題】糞が愛玩動物の体に直接触れることがなく、散歩時愛玩動物が動き回っても糞が散乱したり、回収袋が愛玩動物の体から外れたりすることがなく、愛玩動物も飼い主も清潔を保ちつつ糞を回収できる愛玩動物用糞回収具及び愛玩動物用衣服セットを提供する。【解決手段】袋状部１及び接合部材２を有する愛玩動物用糞回収具であって、袋状部は、袋口部が動物の肛門近傍をカバーするものであり、接合部材は、愛玩動物用衣服と接合することができるものである。【選択図】図１
0003209723.tif 000002
【実用新案登録請求の範囲】
【請求項１】
袋状部及び接合部材を有する愛玩動物用糞回収具であって、
袋状部は、袋口部が動物の肛門近傍をカバーするものであり、
接合部材は、愛玩動物用衣服と接合することができるものであることを特徴とする愛玩動物用糞回収具。
【請求項２】
袋状部は、布帛からなる外部カバー及び樹脂製袋からなる内袋部を有するものである、請求項１記載の愛玩動物用糞回収具。
【請求項３】
請求項１又は２記載の愛玩動物用糞回収具、及び、
愛玩動物用糞回収具の接合部材と接合するための接合部材を備えた愛玩動物用衣服
からなることを特徴とする愛玩動物用衣服セット。
【考案の詳細な説明】
【技術分野】
【０００１】
本考案は、愛玩動物用の糞回収具及び愛玩動物用衣服セットに関するものである。
【背景技術】
【０００２】
犬等の愛玩動物の散歩時には、糞を持ち帰ることが必要であることから、飼い主は散歩時に糞取り具を持ち歩くことが必要である。このような糞取り具としては、愛玩動物が糞をした後に、それをスコップ状のものでとって、ごみ袋に入れるという方法が最も広く使用されている。
【０００３】
そのほかには、おむつタイプのものを愛玩動物に装着して愛玩動物が糞をしたときにも、おむつの中に保持されているもの等も知られている。（特許文献１、２）
しかしこのような方法であると、糞が愛玩動物の体に直接接触することになって、愛玩動物が不快感を覚えることがある点で好ましくない。
【０００４】
特許文献３，４等においては、回収袋を愛玩動物の肛門付近に装着させ、愛玩動物が糞をしたときには当該回収袋中に糞が入り、これによって愛玩動物の糞を回収することが開示されている。しかし、愛玩動物は散歩中に動き回るため、このような回収袋が体から外れてしまう、という不具合が多発してしまう。
【０００５】
更に、愛玩動物や飼い主の健康を考えると、清潔を維持しつつ愛玩動物の糞を回収することが望まれている。
【先行技術文献】
【特許文献】
【０００６】
【特許文献１】特開２００７−１５９１２０号
【特許文献２】特開２０１１−１０９９４６号
【特許文献３】特開２０１１−２４５０５号
【特許文献４】特開２００６−１２９８５６号
【考案の概要】
【考案が解決しようとする課題】
【０００７】
本考案は上記に鑑み、糞が愛玩動物の体に直接触れることがなく、散歩時愛玩動物が動き回っても糞が散乱したり、回収袋が愛玩動物の体から外れたりすることがなく、愛玩動物も飼い主も清潔を保ちつつ糞を回収できるような愛玩動物用糞回収具及び愛玩動物用衣服セットを提供することを目的とするものである。
【課題を解決するための手段】
【０００８】
本考案は、
袋状部及び接合部材を有する愛玩動物用糞回収具であって、
袋状部は、袋口部が動物の肛門近傍をカバーするものであり、
接合部材は、愛玩動物用衣服と接合することができるものであることを特徴とする愛玩動物用糞回収具である。
【０００９】
上記袋状部は、布帛からなる外部カバー部及び樹脂製袋からなる内袋部を有するものであることが好ましい。
【００１０】
本考案は、上述した愛玩動物用糞回収具、及び、
愛玩動物用糞回収具の接合部材と接合するための接合部材を備えた愛玩動物用衣服
からなることを特徴とする愛玩動物用衣服セットでもある。
【考案の効果】
【００１１】
本考案の愛玩動物用糞回収具は、簡便に利用することができ、愛玩動物の糞が動物に直接付着することがなく、清潔かつ安価である点で好ましいものである。
【図面の簡単な説明】
【００１２】
【図１】本考案の愛玩動物用糞回収具の一例を示す図面である。
【図２】本考案の愛玩動物用糞回収具の一例を示す図面である。
【図３】本考案の愛玩動物用糞回収具と愛玩動物用衣服とを愛玩動物に着せた状態の一例を示す図面である。
【考案を実施するための形態】
【００１３】
本考案の愛玩動物用糞回収具は、袋状である糞の収納具を愛玩動物の体に取り付けて使用するものであり、この取り付けに際して、接合部材によって愛玩動物用の衣服に固定することを特徴とするものである。このような手法で愛玩動物用糞回収具を固定することで、愛玩動物が動き回っても回収具が外れることはなく、かつ、愛玩動物の糞が愛玩動物の体に直接触れることもなく、効率的に愛玩動物の糞を回収することができる。また、糞を回収する際も、飼い主の手を汚す必要がなく、愛玩動物にとっても、飼い主にとっても清潔に使用することができる。
【００１４】
本考案の一例を図１に示す。以下、図１の記載に従って本考案を説明する。
本考案の愛玩動物用糞回収具は、袋状部１及び接合部材２とからなるものである。袋状部は、愛玩動物の糞を収納することができるような袋形状を有しており、愛玩動物の糞を回収するためのものである。
【００１５】
その形状は、愛玩動物の肛門部付近に袋口部が設置される。ここでの設置は、大きな隙間を生じない状態で肛門部を覆うものである。これによって愛玩動物が糞をした場合に、袋中に落下しこれによって、肛門近傍に糞が付着することがない。
【００１６】
本考案の愛玩動物用糞回収具における袋状部１は、その素材を特に限定されるものではないが、布帛からなる袋であることが好ましい。布帛としては、編物、織物、不織布等の公知の任意のものを使用することができ、これらを必要に応じて縫い合わせたりすることで、袋状とすることができる。
【００１７】
更に、図２に示すように袋状物において、内袋としてポリエチレン製袋、ポリエチレンテレフタレート製袋等の樹脂製の袋を着脱可能に設け、外部には外部カバーを設けたものであってもよい。
【００１８】
すなわち、布製の袋は使い捨てとしても、再利用するものであってもよいが、コスト面や利便性等を考慮すれば、再利用することが望ましい。この場合、愛玩動物の糞が袋状物に付着すると、悪臭の原因となる。このため、使用のたびに都度洗濯をする必要が生じ、使用における手間が大きくなってしまう。内袋３を使用すると、このような問題を生じることがない点で好ましい。すなわち、内袋３中に愛玩動物の糞が収納され、そのまま内袋を取り外して、愛玩動物の糞を収容した状態で内袋のみを廃棄することで、愛玩動物の糞が布製の袋状物と接触することがない。このため、使用するごとに毎回洗濯を行う必要が生じず、利用者の労力が低減される点で好ましい。更に、愛玩動物及び飼い主の双方の清潔を保つことができる点でも好ましい。
【００１９】
更に、外部カバー１−２を設けることで、内袋３内に回収された糞が外から見えにくくなる点で好ましい。外部カバー１−２は、愛玩動物の身体に密着する部位から連続的に設けられたものであることが好ましい。その形状は、袋状であっても筒状であってもよい。
【００２０】
本考案の愛玩動物用糞回収具における袋状部１は、その形状を特に限定されるものではないが、口部が愛玩動物の肛門周辺を覆い、排便後の糞が愛玩動物の体に触れない状態で保持されるものである。よって、口部が愛玩動物の肛門近傍に密着するような袋形状であることが好ましい。さらに、愛玩動物の尿道口付近も覆い、尿についても袋状の回収具中に回収するものとしてもよい。
【００２１】
更に、本考案の愛玩動物用糞回収具は、接合部材２を有するものである。本考案においては、接合部材２によって、愛玩動物用の衣服と接合できるという点に利点を有するものである。
【００２２】
すなわち、従来の技術においては、愛玩動物用糞回収具をそのまま直接愛玩動物の下半身や胴体に取り付けるものであった。しかし、本考案においては、これを愛玩動物用衣服に接合することで固定するものである。これによって、体に密着した愛玩動物用衣服と一体化した状態で愛玩動物用糞回収具を固定することができ、安定して固定することができる。このため、愛玩動物が走り回ったりしても愛玩動物用糞回収具が外れたりずれたりすることがないため、使用者においては、簡便に愛玩動物の糞の回収を行うことができる。
【００２３】
接合部材２は特に限定されず、衣服と愛玩動物用糞回収具とを接合状態とすることができればよく、例えば、ボタン、スナップ、ファスナー、面ファスナー、紐（すなわち、紐をくくり合わせることによって接合する方法、紐と衣服に設けたループとを結び付けて接合する方法）、ループ（衣服に設けた紐をループに結び付けて接合する方法）等の公知の任意のものであってよい。
【００２４】
本発明の愛玩動物用糞回収具は、少なくとも一部において、愛玩動物の衣服と重なり合うような形状に設計されており、この重なり合った部分において上述した接合部材によって固定されるものであることが好ましい。
【００２５】
本考案は、上述したような愛玩動物用糞回収具と、これを接合することができるように備えた愛玩動物用衣服とからなる愛玩動物用衣服セットでもある。すなわち、上述したような愛玩動物用糞回収具は、これを接合するための接合部材を備えた愛玩動物用衣服と組み合わせて使用することが必須である。本考案は、これらを組み合わせた愛玩動物用衣服セットでもある。
【００２６】
当該愛玩動物用衣服セットは、これら全体として愛玩動物の糞の回収を行うことができるものである。また、販売においても、衣服と愛玩動物用糞回収具とをセットで販売することも考えられる。すなわち、これらのデザインを一体化して、ファッション性という観点も考慮した愛玩動物用衣服セットとして販売することも考えられる。
【００２７】
また、本考案の愛玩動物用衣服セットは、装着時に愛玩動物の尾部が貫通できるような孔を設けたものであることが好ましい。尾部が衣服内に収納されてしまうと、愛玩動物が不快に感じて、衣服をつけることを嫌がってしまうため、好ましくない。
【００２８】
このような愛玩動物用糞回収具４と愛玩動物用衣服５とからなる愛玩動物用衣服セットを装着した状態を図３に示した。図３においては、愛玩動物の上半身から下半身までを覆う形状の衣服５を着せて、愛玩動物の下半身の一部を覆うように設計された愛玩動物用糞回収具４と、一部において重なり合っている。そして、この重なりあった部分において、上記接合部材２によって愛玩動物用糞回収具４と愛玩動物用衣服５とを接合する。これによって、愛玩動物用糞回収具は、愛玩動物の身体に固定され、かつ、愛玩動物は不快感を覚えることなく、糞を回収できる。
【００２９】
本考案の愛玩動物用糞回収具及び愛玩動物用衣服セットは、任意の愛玩動物に適用することができるが、なかでも、犬、猫への使用が好ましく、犬への使用が最も好ましい。犬は、散歩させることが多いため、このような愛玩動物用糞回収具及び愛玩動物用衣服セットを使用することによる利点が特に大きい。
【産業上の利用可能性】
【００３０】
本考案の愛玩動物用糞回収具及び愛玩動物用衣服セットは、犬をはじめとする各種の愛玩動物に使用することができる。
【符号の説明】
【００３１】
１  袋状部
１−２    外部カバー
２  接合部材
３  内袋
４  糞回収具
５  愛玩動物用衣服
【図１】
0003209723.tif 000003
【図２】
0003209723.tif 000004
【図３】
0003209723.tif 000005